(57)【要約】  多重ホップ中継（ｍｕｌｔｉ−ｈｏｐ  ｒｅｌａｙ）方式の無線通信システムにおける基地局装置は、再送信パラメータ値を利用して少なくとも一つの中継局のＡＣＫ（ＡＣＫｎｏｗｌｅｄｇｅ）／ＮＡＣＫ（Ｎｏｎ−ＡＣＫｎｏｗｌｅｄｇｅ）送信時点を算出する算出部と、前記少なくとも一つの中継局に前記ＡＣＫ／ＮＡＣＫ送信時点情報を送信する送信部とを備える。【選択図】図５
2010538570.tif 000002
【特許請求の範囲】
【請求項１】
多重ホップ中継（ｍｕｌｔｉ−ｈｏｐ  ｒｅｌａｙ）方式の無線通信システムにおける基地局装置であって、
再送信パラメータ値を利用して少なくとも一つの中継局のＡＣＫ（ＡＣＫｎｏｗｌｅｄｇｅ）／ＮＡＣＫ（Ｎｏｎ−ＡＣＫｎｏｗｌｅｄｇｅ）送信時点を算出する算出部と、
前記少なくとも一つの中継局に前記ＡＣＫ／ＮＡＣＫ送信時点情報を送信する送信部と、を備えることを特徴とする装置。
【請求項２】
網エントリー（ｎｅｔｗｏｒｋ  ｅｎｔｒｙ）手順及び能力交渉手順のうちの何れか一つを行っている少なくとも一つの中継局から、アップリンクデータ処理遅延時間、ダウンリンクデータ処理遅延時間、及びＡＣＫ／ＮＡＣＫ送信遅延時間のうち、少なくとも一つを含む前記再送信パラメータ値を受信する受信部をさらに備えることを特徴とする請求項１に記載の装置。
【請求項３】
前記ＡＣＫ／ＮＡＣＫ送信時点情報は、パケットを受信した時点からＡＣＫ／ＮＡＣＫを送信しなければならない時点までのフレームオフセット、前記ＡＣＫ／ＮＡＣＫ送信時点情報を受信した時点からＡＣＫ／ＮＡＣＫを送信しなければならない時点までのフレームオフセット、及び前記ＡＣＫ／ＮＡＣＫを送信しなければならないフレームの絶対的な番号のうち、少なくとも一つを含むことを特徴とする請求項１に記載の装置。
【請求項４】
前記ＡＣＫ／ＮＡＣＫ送信時点情報を含むマップ（ＭＡＰ）メッセージを生成する生成器をさらに備えることを特徴とする請求項３に記載の装置。
【請求項５】
前記算出部は、前記少なくとも一つの中継局のアップリンクデータ処理遅延時間、前記少なくとも一つの中継局のダウンリンクデータ処理遅延時間、前記少なくとも一つの中継局のＡＣＫ／ＮＡＣＫ送信遅延時間、前記基地局のＡＣＫ／ＮＡＣＫ送信遅延時間、及び端末のＡＣＫ／ＮＡＣＫ送信遅延時間、のうちの少なくとも一つを利用して、前記中継局のＡＣＫ／ＮＡＣＫ送信時点を算出することを特徴とする請求項１に記載の装置。
【請求項６】
前記ＡＣＫ／ＮＡＣＫ送信時点と対応するパケットを識別するための情報を含むＡＣＫ／ＮＡＣＫ送信領域割り当て情報を生成する生成器をさらに備え、
前記パケットを識別するための情報は、前記ＡＣＫ／ＮＡＣＫ送信領域割り当て情報が受信されたフレームと前記パケットが受信されたフレームとの間のフレームオフセット、前記パケットが受信されたフレームの絶対的な番号、ＣＩＤ（Ｃｏｎｎｅｃｔｉｏｎ  ＩＤｅｎｔｉｆｉｅｒ）、ＡＣＩＤ（Ａｒｑ  Ｃｈａｎｎｅｌ  ＩＤｅｎｔｉｆｉｅｒ）、及びＳＰＩＤ（Ｓｕｂ  Ｐａｃｋｅｔ  ＩＤｅｎｔｉｆｉｅｒ）のうち、少なくとも一つであることを特徴とする請求項１に記載の装置。
【請求項７】
多重ホップ中継（ｍｕｌｔｉ−ｈｏｐ  ｒｅｌａｙ）方式の無線通信システムにおける中継局装置であって、
基地局からのＡＣＫ（ＡＣＫｎｏｗｌｅｄｇｅ）／ＮＡＣＫ（Ｎｏｎ−ＡＣＫｎｏｗｌｅｄｇｅ）送信時点情報を受信する受信部と、
前記ＡＣＫ／ＮＡＣＫ送信時点情報により指示されるフレームにおいて、前記ＡＣＫ／ＮＡＣＫ送信時点と対応するパケットに対するＡＣＫ／ＮＡＣＫを送信する送信部と、を備えることを特徴とする装置。
【請求項８】
前記送信部は、網エントリー（ｎｅｔｗｏｒｋ  ｅｎｔｒｙ）手順及び能力交渉手順のうちの一つを行う途中で、アップリンクデータ処理遅延時間、ダウンリンクデータ処理遅延時間、及びＡＣＫ／ＮＡＣＫ送信遅延時間のうち、少なくとも一つを送信することを特徴とする請求項７に記載の装置。
【請求項９】
前記ＡＣＫ／ＮＡＣＫ送信時点情報は、パケットを受信した時点からＡＣＫ／ＮＡＣＫを送信しなければならない時点までのフレームオフセット、前記ＡＣＫ／ＮＡＣＫ送信時点情報を受信した時点からＡＣＫ／ＮＡＣＫを送信しなければならない時点までのフレームオフセット、及び前記ＡＣＫ／ＮＡＣＫを送信しなければならないフレームの絶対的な番号のうち、少なくとも一つを含むことを特徴とする請求項８に記載の装置。
【請求項１０】
前記パケットに対する資源割り当て情報を含むマップ（ＭＡＰ）メッセージを介して、前記ＡＣＫ／ＮＡＣＫ送信時点情報を確認する処理器をさらに備えることを特徴とする請求項９に記載の装置。
【請求項１１】
ＡＣＫ／ＮＡＣＫ送信領域割り当て情報に含まれた前記パケットを識別するための情報を確認する処理器をさらに備え、
前記パケットを識別するための情報は、前記ＡＣＫ／ＮＡＣＫ送信領域割り当て情報が受信されたフレームと前記パケットが受信されたフレームとの間のフレームオフセット、前記パケットが受信されたフレームの絶対的な番号、ＣＩＤ（Ｃｏｎｎｅｃｔｉｏｎ  ＩＤｅｎｔｉｆｉｅｒ）、ＡＣＩＤ（Ａｒｑ  Ｃｈａｎｎｅｌ  ＩＤｅｎｔｉｆｉｅｒ）及びＳＰＩＤ（Ｓｕｂ  Ｐａｃｋｅｔ  ＩＤｅｎｔｉｆｉｅｒ）のうち、少なくとも一つであること特徴とする請求項７に記載の装置。
【請求項１２】
多重ホップ中継（ｍｕｌｔｉ−ｈｏｐ  ｒｅｌａｙ）方式の無線通信システムにおける基地局の動作方法であって、
再送信パラメータ値を利用して少なくとも一つの中継局のＡＣＫ（ＡＣＫｎｏｗｌｅｄｇｅ）／ＮＡＣＫ（Ｎｏｎ−ＡＣＫｎｏｗｌｅｄｇｅ）送信時点を算出する過程と、
前記少なくとも一つの中継局に前記ＡＣＫ／ＮＡＣＫ送信時点情報を送信する過程と、を含むことを特徴とする方法。
【請求項１３】
網エントリー（ｎｅｔｗｏｒｋ  ｅｎｔｒｙ）手順及び能力交渉手順のうちの何れか一つを行っている少なくとも一つの中継局から、アップリンクデータ処理遅延時間、ダウンリンクデータ処理遅延時間、及びＡＣＫ／ＮＡＣＫ送信遅延時間のうち、少なくとも一つを含む前記再送信パラメータ値を受信する過程をさらに含むことを特徴とする請求項１２に記載の方法。
【請求項１４】
前記ＡＣＫ／ＮＡＣＫ送信時点情報は、パケットを受信した時点からＡＣＫ／ＮＡＣＫを送信しなければならない時点までのフレームオフセット、前記ＡＣＫ／ＮＡＣＫ送信時点情報を受信した時点からＡＣＫ／ＮＡＣＫを送信しなければならない時点までのフレームオフセット、及び前記ＡＣＫ／ＮＡＣＫを送信しなければならないフレームの絶対的な番号のうち、少なくとも一つを含むことを特徴とする請求項１２に記載の方法。
【請求項１５】
前記ＡＣＫ／ＮＡＣＫ送信時点情報は、マップ（ＭＡＰ）メッセージに含まれて送信されることを特徴とする請求項１４に記載の方法。
【請求項１６】
前記ＡＣＫ／ＮＡＣＫ送信時点は、前記少なくとも一つの中継局のアップリンクデータ処理遅延時間、前記少なくとも一つの中継局のダウンリンクデータ処理遅延時間、前記少なくとも一つの中継局のＡＣＫ／ＮＡＣＫ送信遅延時間、前記基地局のＡＣＫ／ＮＡＣＫ送信遅延時間、及び端末のＡＣＫ／ＮＡＣＫ送信遅延時間のうち、少なくとも一つを利用して算出されることを特徴とする請求項１２に記載の方法。
【請求項１７】
前記ＡＣＫ／ＮＡＣＫ送信時点と対応するパケットを識別するための情報を含むＡＣＫ／ＮＡＣＫ送信領域割り当て情報を生成する過程をさらに含み、
前記パケットを識別するための情報は、前記ＡＣＫ／ＮＡＣＫ送信領域割り当て情報が受信されたフレームと前記パケットが受信されたフレームとの間のフレームオフセット、前記パケットが受信されたフレームの絶対的な番号、ＣＩＤ（Ｃｏｎｎｅｃｔｉｏｎ  ＩＤｅｎｔｉｆｉｅｒ）、ＡＣＩＤ（Ａｒｑ  Ｃｈａｎｎｅｌ  ＩＤｅｎｔｉｆｉｅｒ）、及びＳＰＩＤ（Ｓｕｂ  Ｐａｃｋｅｔ  ＩＤｅｎｔｉｆｉｅｒ）のうち、少なくとも一つであること特徴とする請求項１２に記載の方法。
【請求項１８】
多重ホップ中継（ｍｕｌｔｉ−ｈｏｐ  ｒｅｌａｙ）方式の無線通信システムにおける中継局の動作方法であって、
基地局からのＡＣＫ（ＡＣＫｎｏｗｌｅｄｇｅ）／ＮＡＣＫ（Ｎｏｎ−ＡＣＫｎｏｗｌｅｄｇｅ）送信時点情報を受信する過程と、
前記ＡＣＫ／ＮＡＣＫ送信時点情報により指示されるフレームから、前記ＡＣＫ／ＮＡＣＫ送信時点と対応するパケットに対するＡＣＫ／ＮＡＣＫを送信する過程と、を含むことを特徴とする方法。
【請求項１９】
網エントリー（ｎｅｔｗｏｒｋ  ｅｎｔｒｙ）手順及び能力交渉手順のうちの何れか一つを行う途中で、アップリンクデータ処理遅延時間、ダウンリンクデータ処理遅延時間、及びＡＣＫ／ＮＡＣＫ送信遅延時間のうちの少なくとも一つを送信する過程をさらに含むことを特徴とする請求項１８に記載の方法。
【請求項２０】
前記ＡＣＫ／ＮＡＣＫ送信時点情報は、パケットを受信した時点からＡＣＫ／ＮＡＣＫを送信しなければならない時点までのフレームオフセット、前記ＡＣＫ／ＮＡＣＫ送信時点情報を受信した時点からＡＣＫ／ＮＡＣＫを送信しなければならない時点までのフレームオフセット、及び前記ＡＣＫ／ＮＡＣＫを送信しなければならないフレームの絶対的な番号のうち、少なくとも一つを含むことを特徴とする請求項１８に記載の方法。
【請求項２１】
前記ＡＣＫ／ＮＡＣＫ送信時点情報は、前記パケットに対する資源割り当て情報を含むマップ（ＭＡＰ）メッセージを介して受信されることを特徴とする請求項２０に記載の方法。
【請求項２２】
ＡＣＫ／ＮＡＣＫ送信領域割り当て情報に含まれた前記パケットを識別するための情報を確認する過程をさらに含み、
前記パケットを識別するための情報は、前記ＡＣＫ／ＮＡＣＫ送信領域割り当て情報が受信されたフレームと前記パケットが受信されたフレームとの間のフレームオフセット、前記パケットが受信されたフレームの絶対的な番号、ＣＩＤ（Ｃｏｎｎｅｃｔｉｏｎ  ＩＤｅｎｔｉｆｉｅｒ）、ＡＣＩＤ（Ａｒｑ  Ｃｈａｎｎｅｌ  ＩＤｅｎｔｉｆｉｅｒ）、及びＳＰＩＤ（Ｓｕｂ  Ｐａｃｋｅｔ  ＩＤｅｎｔｉｆｉｅｒ）のうち、少なくとも一つであること特徴とする請求項１８に記載の方法。
【請求項２３】
多重ホップ中継（ｍｕｌｔｉ−ｈｏｐ  ｒｅｌａｙ）方式の無線通信システムにおける中継局の動作方法であって、
基地局から少なくとも一つの他の中継局の再送信パラメータ値を受信する過程と、
前記再送信パラメータ値を利用してＡＣＫ（ＡＣＫｎｏｗｌｅｄｇｅ）／ＮＡＣＫ（Ｎｏｎ−ＡＣＫｎｏｗｌｅｄｇｅ）送信時点を算出する過程と、
算出されたＡＣＫ／ＮＡＣＫ送信時点情報に応じてＡＣＫ／ＮＡＣＫを送信する過程とを含み、
前記再送信パラメータ値は、前記少なくとも一つの他の中継局のアップリンクデータ処理遅延時間、前記少なくとも一つの他の中継局のダウンリンクデータ処理遅延時間、及び前記少なくとも一つの他の中継局のＡＣＫ／ＮＡＣＫ送信遅延時間のうち、少なくとも一つを含むことを特徴とする方法。
【請求項２４】
前記ＡＣＫ／ＮＡＣＫ送信時点は、前記中継局のアップリンクデータ処理遅延時間、前記中継局のダウンリンクデータ処理遅延時間、前記中継局のＡＣＫ／ＮＡＣＫ送信遅延時間、基地局のＡＣＫ／ＮＡＣＫ送信遅延時間、端末のＡＣＫ／ＮＡＣＫ送信遅延時間のうち、少なくとも一つを利用して算出されることを特徴とする請求項２３に記載の方法。
【発明の詳細な説明】
【技術分野】
【０００１】
本発明は、多重ホップ中継（ｍｕｌｔｉ−ｈｏｐ  ｒｅｌａｙ）方式の無線通信システムに関する。より詳しくは、本発明は、多重ホップ中継方式の無線通信システムにおける応答信号の送信時点を決定するための装置及び方法に関する。
【背景技術】
【０００２】
無線通信システムにおいて、無線チャネルを介して送受信されるデータは、チャネル状態に応じて歪曲されて、受信されたデータにエラー（ｅｒｒｏｒ）が発生し得る。このようなエラーに対する制御及び復旧技術は、大きく自動再送信要請（Ａｕｔｏｍａｔｉｃ  Ｒｅｔｒｎｓｍｉｓｓｉｏｎ  ｒｅＱｕｅｓｔ、以下、ＡＲＱとする）技法とＦＥＣ（Ｆｒａｍｅ  Ｅｒｒｏｒ  Ｃｈｅｃｋ）技法とに大別される。ここで、ＡＲＱ技法は、受信端で損失されたデータに対して送信端に再送信（ｒｅｔｒａｎｓｍｉｓｓｉｏｎ）を要請する技法である。また、ＦＥＣ技法は、受信端で損失されたデータに対するエラーを訂正する技法である。
【０００３】
無線通信システムにおいてＡＲＱ技法を使用する場合、受信端は、受信されたパケットを復号することで、エラーが発生したか否かを確認することができる。エラーが発生しない場合、受信端は、送信端にＡＣＫ（ＡＣＫｎｏｗｌｅｄｇｅ）信号を送信する。エラーが発生した場合、受信端は、送信端にＮＡＣＫ（Ｎｏｎ−ＡＣＫｎｏｗｌｅｄｇｅ）信号を送信する。これにより、ＡＣＫ信号が受信されると、送信端は、新しいパケットを送信し、ＮＡＣＫ信号が受信されると、送信端は、以前のパケットを再送信する。
【０００４】
最近、高速及び高容量の通信に対する要求が急増するにつれて、無線通信システムにおいて多重ホップ中継（ｍｕｌｔｉ−ｈｏｐ  ｒｅｌａｙ）方式の適用が考慮されている。この多重ホップ中継方式は、基地局と端末との間の無線チャネルを介して信号を中継する中継局を利用することによって、セルの境界や陰影地域に位置する端末に良好な無線チャネルを保証するための技術である。すなわち、前記中継サービスを提供する無線通信システムは、中継局を利用して基地局と端末との間に送受信するデータを中継することによって、基地局と端末との間により良好無線チャネルを提供することができる。
【０００５】
多重ホップ中継方式が適用される場合、基地局と端末との間の無線チャネルは、複数のホップから構成されるために、信号は、複数のノードで受信及び送信される。これによって、多重ホップ中継方式を使用する無線通信システムにおいて上述したＡＲＱ技法をそのまま適用するのは、非常に困難である。したがって、多重ホップ中継方式を使用する無線通信システムにおいて、中継局を考慮してＡＲＱ技法を実行するための代案が必要である。
【発明の概要】
【発明が解決しようとする課題】
【０００６】
そこで、本発明の目的は、少なくとも上述された問題点に対処し、及び／又は少なくとも下記の便宜を提供することにある。すなわち本発明の目的は、多重ホップ中継（ｍｕｌｔｉ−ｈｏｐ  ｒｅｌａｙ）方式の無線通信システムにおいて再送信要請（ＡＲＱ：Ａｕｔｏｍａｔｉｃ  Ｒｅｔｒｎｓｍｉｓｓｉｏｎ  ｒｅＱｕｅｓｔ）技法を使用するための装置及び方法を提供することにある。
【０００７】
本発明の他の目的は、多重ホップ中継方式の無線通信システムにおいてＡＲＱ応答時点を決定するための装置及び方法を提供することにある。
【０００８】
本発明のさらに他の目的は、多重ホップ中継方式の無線通信システムにおいて、基地局、中継局、及び端末にＡＲＱ応答時点を知らせるための装置及び方法を提供することにある。
【課題を解決するための手段】
【０００９】
上記の目的を達成すべく、本発明の第１の見地による多重ホップ中継（ｍｕｌｔｉ−ｈｏｐ  ｒｅｌａｙ）方式の無線通信システムにおける基地局装置は、再送信パラメータ値を用いて少なくとも一つの中継局のＡＣＫ（ＡＣＫｎｏｗｌｅｄｇｅ）／ＮＡＣＫ（Ｎｏｎ−ＡＣＫｎｏｗｌｅｄｇｅ）送信時点を算出する算出部と、前記少なくとも一つの中継局に前記ＡＣＫ／ＮＡＣＫ送信時点情報を送信する送信部と、を備えることを特徴とする。
【００１０】
上記の目的を達成すべく、本発明の第２の見地による多重ホップ中継方式の無線通信システムにおける中継局装置は、基地局からのＡＣＫ／ＮＡＣＫ送信時点情報を受信する受信部と、前記ＡＣＫ／ＮＡＣＫ送信時点情報により指示されるフレームにおいて、前記ＡＣＫ／ＮＡＣＫ送信時点と対応するパケットに対するＡＣＫ／ＮＡＣＫを送信する送信部と、を備えることを特徴とする。
【００１１】
上記の目的を達成すべく、本発明の第３の見地による多重ホップ中継方式の無線通信システムにおける基地局の動作方法は、再送信パラメータ値を利用して中継局のＡＣＫ／ＮＡＣＫ送信時点を算出する過程と、前記中継局に前記ＡＣＫ／ＮＡＣＫ送信時点情報を送信する過程と、を含むことを特徴とする。
【００１２】
上記の目的を達成すべく、本発明の第４の見地による多重ホップ中継方式の無線通信システムにおける中継局の動作方法は、基地局からのＡＣＫ／ＮＡＣＫ送信時点情報を受信する過程と、前記ＡＣＫ／ＮＡＣＫ送信時点情報により指示されるフレームから、前記ＡＣＫ／ＮＡＣＫ送信時点と対応するパケットに対するＡＣＫ／ＮＡＣＫを送信する過程と、を含むことを特徴とする。
【００１３】
上記の目的を達成すべく、本発明の第５の見地による多重ホップ中継方式の無線通信システムにおける中継局の動作方法は、基地局から一以上の他の中継局の再送信パラメータ値を受信する過程と、前記再送信パラメータ値を利用してＡＣＫ／ＮＡＣＫ送信時点を算出する過程と、算出されたＡＣＫ／ＮＡＣＫ送信時点情報に応じてＡＣＫ／ＮＡＣＫを送信する過程とを含み、前記再送信パラメータ値は、前記一以上の他の中継局のアップリンクデータ処理遅延時間、前記一以上の他の中継局のダウンリンクデータ処理遅延時間、及び前記一以上の他の中継局のＡＣＫ／ＮＡＣＫ送信遅延時間のうち、少なくとも一つを含む。
【００１４】
本発明の他の他の見地、利点、及び顕著な特徴は、添付図面とともに本発明の典型的な実施の形態を開示する以下の詳細な説明から、当業者に明白になるであろう。
【図面の簡単な説明】
【００１５】
本発明の特定の典型的な実施の形態における上記の及び他の側面、特徴、及び効果は、添付された図面とともに後の説明がなされることで、一層明白になるであろう。
【図１】本発明の実施の形態による多重ホップ中継（ｍｕｌｔｉ−ｈｏｐ  ｒｅｌａｙ）方式の無線通信システムにおける基地局と端末との間の信号経路を示す図である。
【図２】本発明の実施の形態による多重ホップ中継方式の無線通信システムにおけるダウンリンクパケット送信時のＡＣＫ（ＡＣＫｎｏｗｌｅｄｇｅ）／ＮＡＣＫ（Ｎｏｎ−ＡＣＫｎｏｗｌｅｄｇｅ）交換例を示す図である。
【図３】本発明の実施の形態による多重ホップ中継方式の無線通信システムにおける基地局及び中継局のブロック構成を示す図である。
【図４】本発明の第１の実施の形態による多重ホップ中継方式の無線通信システムにおける基地局の動作手順を示す図である。
【図５】本発明の第１の実施の形態による多重ホップ中継方式の無線通信システムにおける中継局の動作手順を示す図である。
【図６】本発明の第２の実施の形態による多重ホップ中継方式の無線通信システムにおける基地局の動作手順を示す図である。
【図７】本発明の第２の実施の形態による多重ホップ中継方式の無線通信システムにおける中継局の動作手順を示す図である。
【００１６】
図面全体に亘り、同様の参照符号は、同様の部分、構成要素及び構造に言及するものであることが理解されるであろう。
【発明を実施するための形態】
【００１７】
添付図面を参照した以下の説明は、請求項とその等価なもので規定される本発明の典型的な実施の形態についての包括的な理解を助けるために提供される。それらは、単に典型的なものとしてみなされるものではあるが、上記の理解を助力するための種々の具体的詳細を含んでいる。したがって、当業者は、ここに記述された実施の形態の種々の変更や変形が本発明の範囲及び精神を逸脱することなくなされ得ることを理解するであろう。また、なお、本発明を説明するに当たって、関連した公知機能あるいは構成についての具体的な説明が本発明の要旨を不明にするおそれがあると判断された場合には、その詳細な説明を省略する。
【００１８】
本発明の典型的な実施の形態として、多重ホップ中継（ｍｕｌｔｉ−ｈｏｐ  ｒｅｌａｙ）方式の無線通信システムにおいて自動再送信要請（ｙｂｉｒｄ  Ａｕｔｏｍａｔｉｃ  Ｒｅｔｒａｎｓｍｉｓｓｉｏｎ  ｒｅＱｕｅｓｔ、以下、ＡＲＱとする）技法を使用するための技術について説明する。ここでは、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと略称する）方式の無線通信システムを例に挙げて説明する。但し、本発明は、他の方式の無線通信システムにも同様に適用されることができる。
【００１９】
図１は、本発明の実施の形態による多重ホップ中継（ｍｕｌｔｉ−ｈｏｐ  ｒｅｌａｙ）方式の無線通信システムにおける基地局と端末との間の信号経路を示している。
【００２０】
図１に示すように、多重ホップ中継方式の無線通信システムにおいて３ホップ中継通信を行う基地局１１０と端末１４０との間のダウンリンクデータは、基地局１１０から第１中継局１２０、及び第２中継局１３０を経て端末１４０に伝達される。すなわち、基地局１１０は、第１中継局１２０にダウンリンクデータを送信し、第１中継局１２０は、第２中継局１３０に当該ダウンリンクデータを転送し、第２中継局１３０は、端末１４０にダウンリンクデータを転送する。
【００２１】
また、多重ホップ中継方式の無線通信システムにおいて３ホップ中継通信を行う基地局１１０と端末１４０との間のアップリンクデータは、端末１４０から第２中継局１３０、第１中継局１２０を経て基地局１１０に伝達される。すなわち、端末１４０は、第２中継局１３０にアップリンクデータを送信し、第２中継局１３０は、第１中継局１２０にアップリンクデータを中継し、第１中継局１２０は、基地局１１０にアップリンクデータを中継する。
【００２２】
受信されたアップリンクデータ又は受信されたダウンリンクデータにチャネル歪みによるエラーが発生した場合、基地局１１０又は端末１４０は、ＡＲＱ技法を用いてエラーのないデータを再度送受信する。多重ホップ中継方式の無線通信システムにおいて、ＡＲＱ技法に基づく再送信のために中央集中式（ｃｅｎｔｒａｌｉｚｅｄ）スケジューリング方式が適用される場合、基地局１１０は、すべての中継局１２０、１３０と端末１４０からのＡＣＫ（ＡＣＫｎｏｗｌｅｄｇｅ）／ＮＡＣＫ（Ｎｏｎ−ＡＣＫｎｏｗｌｅｄｇｅ）を確認する必要がある。
【００２３】
一般に、ＡＲＱ技法は、同期式（ｓｙｎｃｈｒｏｎｏｕｓ）ＡＣＫ送信技法と、非同期式（ａｓｙｎｃｈｒｏｎｏｕｓ）ＡＣＫ送信技法と、に区分される。同期式ＡＣＫ送信技法の場合には、基地局、中継局、端末のそれぞれが、ＡＣＫ／ＮＡＣＫをどの物理フレームから送信し受信しなければならないかを知っていなければならない。したがって、本発明の典型的な実施の形態は、ＡＣＫ／ＮＡＣＫの送受信時点を決定するための技術について提供する。以下は、ＨＡＲＱ（Ｈｙｂｒｉｄ  ＡＲＱ）技法を例に挙げて説明する。但し、本発明は、他の方式のＡＲＱ技法に対しても同様に適用されることができる。
【００２４】
図２は、本発明の典型的な実施の形態による多重ホップ中継方式の無線通信システムにおけるダウンリンクパケットを送信する際のＡＣＫ／ＮＡＣＫの交換例を示している。より具体的には、図２は、３ホップ通信を行う基地局２１０と端末２４０との間のダウンリンクパケット及びＡＣＫ／ＮＡＣＫの交換例を示している。但し、ホップの個数が変わった場合でも、ダウンリンクパケット及びＡＣＫ／ＮＡＣＫの交換は、図２と同様に行われる。
【００２５】
図２に示すように、基地局２１０は、フレームｉにおいてスケジューリング情報及びパケットを第２中継局２２０に送信する（ステップ２０１）。ここで、スケジューリング情報は、資源割り当て情報を表すマップ（ＭＡＰ）メッセージであることができる。そして、パケットは、ＨＡＲＱ技法の適用を受けるパケットであって、データ及びエラーを検査するためのＣＲＣ（Ｃｙｃｌｉｃ  Ｒｅｄｕｎｄａｎｃｙ  Ｃｈｅｃｋ）を含んでいる。
【００２６】
フレームｉにおいてスケジューリング情報及び上記パケットを受信した第２中継局２２０は、時間ｐ２の間にダウンリンクデータを処理し、フレームｉ＋１においてスケジューリング情報及びパケットを第１中継局２３０に中継する（ステップ２０３）。ここで、ｐ２は、第２中継局２２０のダウンリンクデータ処理遅延時間を示す。より詳細には、ｐ２は、受信されたパケットに対してデコード及びエラー検査を行い、再送信するまでの遅延時間を意味し、第２中継局２２０の性能及び特性によって変わる。図２において、ｐ２は、１個のフレームにより占有される時間と同じ時間であると仮定される。
【００２７】
フレームｉ＋１においてスケジューリング情報及びパケットを受信した第１中継局２３０は、時間ｐ１の間にダウンリンクデータを処理し、フレームｉ＋２においてスケジューリング情報及びパケットを端末２４０に中継する（ステップ２０５）。ｐ１は、第１中継局２３０のダウンリンクデータ処理遅延時間であって、受信パケットに対するデコード及びエラー検査を行い、再送信するまでの遅延時間を意味し、第１中継局２３０の性能及び特性によって変わる。図２において、ｐ１は、１個のフレームにより占有される時間と同じ時間であると仮定される。
【００２８】
フレームｉ＋２においてスケジューリング情報及びパケットを受信した端末２４０は、時間ｊの間にパケットのエラー有無を検査し、フレームｉ＋３においてＡＣＫ／ＮＡＣＫを第１中継局２３０に送信する（ステップ２０７）。すなわち、端末２４０は、当該パケットがエラーを有しない場合にはＡＣＫを送信し、パケットに関連したエラーがある場合には、ＮＡＣＫを送信する。ここで、ｊは、端末２４０のＡＣＫ／ＮＡＣＫ送信遅延時間であって、受信パケットに対するデコード及びエラー検査を行い、ＡＣＫ／ＮＡＣＫを送信するまでの遅延時間を意味し、端末の性能及び特性によって変わる。図２において、ｊは、１個のフレームにより占有される時間と同じ時間であると仮定される。
【００２９】
フレームｉ＋３においてＡＣＫ／ＮＡＣＫを受信した第１中継局２３０は、時間ｑ１の間にＡＣＫ／ＮＡＣＫを処理し、フレームｉ＋４においてＡＣＫ／ＮＡＣＫを第２中継局２２０に中継する（ステップ２０９）。ここで、ｑ１は、第１中継局２３０のＡＣＫ／ＮＡＣＫ処理遅延時間であって、第１中継局２３０の性能及び特性によって変わる。図２において、ｑ１は、１個のフレームにより占有される時間と同じ時間であると仮定される。また、ｐ１及びｑ１は、どちらも第１中継局２３０に関連した値であって、実質的に同一でありうる。しかしながら、ｐ１及びｑ１は、互いに異なることもありうる。
【００３０】
フレームｉ＋４においてＡＣＫ／ＮＡＣＫを受信した第２中継局２２０は、時間ｑ２の間にＡＣＫ／ＮＡＣＫを処理し、フレームｉ＋５においてＡＣＫ／ＮＡＣＫを基地局２１０に中継する（ステップ２１１）。ここで、ｑ２は、第２中継局２２０のＡＣＫ／ＮＡＣＫ処理遅延時間であって、第２中継局２２０の性能及び特性によって変わる。図２において、ｑ２は、１個のフレームにより占有される時間と同じ時間であると仮定される。また、ｐ２及びｑ２は、どちらも第２中継局２２０に関連した値であって、実質的に同一でありうる。しかしながら、ｐ１及びｑ１は、互いに異なることもありうる。
【００３１】
上述のように、ダウンリンクパケットと当該ダウンリンクパケットについてのＡＣＫ／ＮＡＣＫの送受信を制御しようとする場合、基地局は、ＡＣＫ／ＮＡＣＫ送受信のためのスケジューリングを行わなければならないので、中継局ら及び端末から送信されるＡＣＫ／ＮＡＣＫ情報を知っていなければならない。また、中継局は、ＡＣＫ／ＮＡＣＫ送信の正確な時点情報を知っていなければならない。例えば、図２において、フレームｉを介してパケットを受信した第２中継局２２０は、５個のフレーム後であるフレームｉ＋５においてＡＣＫ／ＮＡＣＫを送信しなければならないことを知る必要があり、フレームｉ＋１を介してパケットを受信した第１中継局２３０は、３個のフレーム後であるフレームｉ＋４においてＡＣＫ／ＮＡＣＫを送信しなければならないことを知る必要がある。
【００３２】
したがって、本発明の典型的な実施の形態では、ＡＣＫ／ＮＡＣＫ送信時点を下記の数式１のように算出する。
【数１】
2010538570.tif 000003
【００３３】
数式１中で、
2010538570.tif 000004
は、該当中継局のダウンリンクパケット受信時点とダウンリンクパケットに対するＡＣＫ／ＮＡＣＫの送信時点との間の時間間隔、Ｈは、該当中継局と端末との間のホップ数、ｐｈは、端末とのホップ数がｈである中継局のダウンリンクデータ処理遅延時間、ｑｈは、端末とのホップ数がｈである中継局のＡＣＫ／ＮＡＣＫ送信遅延時間、ｊは、端末のＡＣＫ／ＮＡＣＫ送信遅延時間を意味する。数式１にて、ｐｈ、ｑｈ、ｊの単位をフレームで使用すると、
2010538570.tif 000005
は、フレーム単位の値になる。この場合、中継局は、ダウンリンクパケットを受信した後、
2010538570.tif 000006
個のフレームが経過すると、ＡＣＫ／ＮＡＣＫを送信する。
【００３４】
数式１に基づいて算出されたＡＣＫ／ＮＡＣＫ送信時点は、基地局のスケジューリング及び中継局のＡＣＫ／ＮＡＣＫ送信に利用される。このとき、ＡＣＫ／ＮＡＣＫ送信時点情報は、基地局により算出されて中継局らに送信されるか、又は各中継局により算出される。以下では、数式１に示されたｐｈ、ｑｈのようにＡＣＫ／ＮＡＣＫ送信時点の算出に必要な値を、再送信パラメータ値と称する。
【００３５】
再送信パラメータ値は、中継局でのデータ又はＡＣＫ処理遅延時間であるから、中継局ごとに異なる値でありうる。したがって、再送信パラメータ値は、中継局の網エントリー（ｎｅｔｗｏｒｋ  ｅｎｔｒｙ）手順又は能力交渉（Ｃａｐａｂｉｌｉｔｙ  Ｎｅｇｏｔｉａｔｉｏｎ）手順を通じて、中継局から基地局へ送信される。しかしながら、無線通信システム内の中継局の各々の再送信パラメータ値がすべて同じである場合には、中継局から再送信パラメータ値を収集する動作、及び中継局に再送信パラメータ値を転送する動作は、行われないこともある。すなわち、この場合、基地局及び中継局は、再送信パラメータ値をシステム変数として既に知っている。
【００３６】
ＡＣＫ／ＮＡＣＫ送信時点は、基地局又は中継局で算出される。基地局で算出する場合、基地局は、中継局の網エントリー手順又は能力交渉手順を通じて収集された再送信パラメータ値を用いてＡＣＫ／ＮＡＣＫ送信時点を算出し、これを各中継局に提供する。このとき、基地局は、各中継局に送信されるダウンリンクマップ及びアップリンクマップのようなスケジューリング情報、制御情報、又は管理メッセージを利用して、ＡＣＫ／ＮＡＣＫ送信時点情報を提供する。
【００３７】
詳細に説明すると、本発明の実施の形態に従って、第１中継局２２０は、フレームｉにおいてＨＡＲＱデータ及びダウンリンクマップを受信し、このとき、基地局２１０は、ダウンリンクマップに値「ｎ」を含めて通知する。ここで、値「ｎ」は、フレームオフセット又は絶対的フレーム番号を表す。もし、値「ｎ」がフレームオフセットを表す場合、第１中継局２２０は、フレームｉにおいて受信されたＨＡＲＱデータに対するＡＣＫ／ＮＡＣＫを、フレームｉ＋ｎから送信する。この場合、値「ｎ」は、「ＡＣＫ＿ｆｒａｍｅ＿ｄｅｌａｙ」として表現されることができる。これに対し、値「ｎ」が絶対的フレーム番号を表す場合、第１中継局２２０は、フレームｉにおいて受信されたＨＡＲＱデータに対するＡＣＫ／ＮＡＣＫを、フレームｎから送信する。
【００３８】
本発明の他の実施の形態では、第１中継局２２０は、基地局２１０からのＨＡＲＱデータ及びダウンリンクマップをフレームｉで受信する。そして、基地局２１０は、フレームｋにおいてアップリンクマップを用いてアップリンクＡＣＫ／ＮＡＣＫ領域を割り当てる。ここで、アップリンクマップは、値「ｎ」を含み、値「ｎ」は、フレームオフセット又は絶対的フレーム番号を表す。もし値「ｎ」がフレームオフセットを表す場合、すなわち、値「ｎ」がｋ及びｉの差分値である場合、第１中継局２２０は、フレームｋ−ｎ（＝ｉ）で受信されたＨＡＲＱデータに対するＡＣＫ／ＮＡＣＫを、フレームｋから送信する。これに対し、値「ｎ」が絶対的フレーム番号を表す場合、すなわち、値「ｎ」がｉである場合、第１中継局２２０は、フレームｎ（＝ｉ）で受信されたＨＡＲＱデータに対するＡＣＫ／ＮＡＣＫを、フレームｋから送信する。
【００３９】
これに対し、ＡＣＫ／ＮＡＣＫ送信時点が中継局で算出される場合、基地局は、収集された各中継局の再送信パラメータ値を中継局に提供し、各中継局は、自身のＡＣＫ／ＮＡＣＫ送信時点を算出する。詳細に説明すると、第１中継局２２０は、第２中継局２３０及び端末２４０の再送信パラメータを知らない。したがって、基地局２１０は、ダウンリンクマップ及びアップリンクマップのようなスケジューリング情報、制御情報、又は管理メッセージを利用して、再送信パラメータを第１中継局２２０に知らせる。以後、第１中継局２２０は、フレームｉにおいて受信されたＨＡＲＱデータに対するＡＣＫ／ＮＡＣＫを、何時あるいはどのフレームから送信しなければならないのかを算出することができる。
【００４０】
図３は、本発明の実施の形態による多重ホップ中継方式の無線通信システムにおける基地局及び中継局のブロック構成を示している。
【００４１】
図３に示すように、基地局及び中継局は、無線送信部３１０、無線受信部３３０、ＨＡＲＱ制御部３５０、ＨＡＲＱ応答時点算出部３７０、ＨＡＲＱスケジューラ３９０を備えて構成される。
【００４２】
無線送信部３１０は、ＡＣＫ／ＮＡＣＫ生成器３１２、ＳＤＵ（Ｓｅｒｖｉｃｅ  Ｄａｔａ  Ｕｎｉｔ）生成器３１４、メッセージ生成器３１６、チャネル符号器３１８、ＣＲＣ（Ｃｙｃｌｉｃ  Ｒｅｄｕｎｄａｎｃｙ  Ｃｈｅｃｋ）生成器３２２、変調器３２４、ＩＦＦＴ（Ｉｎｖｅｒｓｅ  Ｆａｓｔ  Ｆｏｕｒｉｅｒ  Ｔｒａｎｓｆｏｒｍ）演算器３２６、ＲＦ（Ｒａｄｉｏ  Ｆｒｅｑｕｅｎｃｙ）処理器３２８を備えて構成される。
【００４３】
ＡＣＫ／ＮＡＣＫ生成器３１２は、ＨＡＲＱ制御部３５０の制御によってＡＣＫ又はＮＡＣＫを生成して、ＳＤＵ生成器３１４に提供する。ＳＤＵ生成器３１４は、物理階層の送信のためのデータブロックを構成する。メッセージ生成器３１６は、外部ノードに送信される制御メッセージを生成する。チャネル符号器３１８は、ＳＤＵ生成器３１４から提供される物理階層のデータブロックを該当符号化方式に従って符号化する。ＣＲＣ生成器３２２は、エラー検出コードを生成し、当該エラー検出コードをチャネル符号器３１４から提供される符号化されたビット列に追加する。変調器３２４は、ＣＲＣ生成器３２２から提供されるビット列を該当変調方式に従って変調することによって、ビット列を複素シンボルに変換する。ＩＦＦＴ演算器３２６は、変調器３２４から提供される複素シンボルを周波数領域に羅列し、ＩＦＦＴ演算を通じて時間領域ＯＦＤＭシンボルに変換する。ＲＦ処理器３２８は、ＩＦＦＴ演算器３２６から提供されるベースバンド信号をＲＦ帯域信号にアップ変換し、当該ＲＦ帯域信号をアンテナを介して送信する。
【００４４】
無線受信部３３０は、ＲＦ処理器３３２、ＦＦＴ（Ｆａｓｔ  Ｆｏｕｒｉｅｒ  Ｔｒａｎｓｆｏｒｍ）演算器３３４、復調器３３６、ＣＲＣ除去器３３８、チャネル復号器３４２、ＡＣＫ／ＮＡＣＫ処理器３４４、ＳＤＵ処理器３４６、及びメッセージ処理器３４８を備えて構成される。
【００４５】
ＲＦ処理器３３２は、アンテナを介して受信されるＲＦ帯域信号をベースバンド信号にダウン変換する。ＦＦＴ演算器３３４は、ＲＦ処理器３３２から提供される信号をＯＦＤＭシンボル単位に区分し、それらをＦＦＴ演算を通じて周波数領域の複素シンボルに変換する。復調器３３６は、ＦＦＴ演算器３３４から提供される複素シンボルを該当変調方式に従って復調することによって、複素シンボルをビット列に変換する。ＣＲＣ除去器３３８は、復調器３３６から提供されるビット列に含まれたエラー検出コードを利用して、パケットのエラー発生有無を判断し、判断結果をＨＡＲＱ制御部３５０に知らせる。そして、ＣＲＣ除去器３３８は、ビット列からエラー検出コードを除去する。チャネル復号器３４２は、ＣＲＣ除去器３３８から提供されるビット列を該当符号化方式に従って復号化する。
【００４６】
ＡＣＫ／ＮＡＣＫ処理器３４４は、受信されるＡＣＫ及びＮＡＣＫを確認してＨＡＲＱ制御部３５０に知らせる。すなわち、ＡＣＫ／ＮＡＣＫ処理器３４４は、送信パケットに対するエラーの発生有無をＨＡＲＱ制御部３５０に知らせる。換言すると、ＡＣＫ／ＮＡＣＫ処理器３４４は、コレスポンデントノードのパケット受信が成功したか否かをＨＡＲＱ制御部３５０に知らせる。ＳＤＵ処理器３４６は、チャネル復号器３４２から提供される物理階層データブロックを、データと制御メッセージとに分離し、当該制御メッセージをメッセージ処理器３４８に提供する。メッセージ処理器３４８は、外部ノードから受信された制御メッセージを解析する。
【００４７】
ＨＡＲＱ制御部３５０は、ＨＡＲＱ技法を行うための機能を制御する。例えば、ＨＡＲＱ制御部３５０は、ＨＡＲＱ応答時点算出部３７０を制御して中継局のＡＣＫ／ＮＡＣＫ送信時点を算出するようにし、ＨＡＲＱスケジューラ３９０を制御してＨＡＲＱ技法のためのスケジューリングを行うようにする。また、ＨＡＲＱ制御部３５０は、ＨＡＲＱスケジューラ３９０で決定されたＨＡＲＱ技法のための制御情報をメッセージ生成器３１６に提供し、制御情報を含む制御メッセージを生成するようにメッセージ生成器３１６を制御する。そして、ＨＡＲＱ制御部３５０は、ＣＲＣ除去器３３８で確認されたパケットのエラー有無によってＡＣＫ又はＮＡＣＫを生成するようにＡＣＫ／ＮＡＣＫ生成器３１２を制御する。
【００４８】
ＨＡＲＱ応答時点算出部３７０は、中継局のＡＣＫ／ＮＡＣＫ送信時点を算出する。ここで、ＡＣＫ／ＮＡＣＫ送信時点は、該当中継局のマップ受信時点からＡＣＫ／ＮＡＣＫ送信時点までのフレームオフセットを意味する。ＨＡＲＱスケジューラ３９０は、ＨＡＲＱ技法に従うパケット送信、パケット再送信、制御メッセージ送信、制御メッセージ再送信のためのスケジューリングを行う。具体的に説明すると、ＨＡＲＱスケジューラ３９０は、ＨＡＲＱ応答時点算出部３７０から算出されたＡＣＫ／ＮＡＣＫ送信時点情報を利用して、ダウンリンクマップ又はアップリンクマップに含まれるフィールド値を構成し、これにより、ＡＣＫ／ＮＡＣＫ送信のためのダウンリンク又はアップリンク無線資源を割り当てる。
【００４９】
図３に示された構成を参照して基地局の動作を説明すると、以下のとおりである。
【００５０】
本発明の第１の実施の形態による基地局の場合、ＨＡＲＱ応答時点算出部３７０は、再送信パラメータ値を利用して中継局等のＡＣＫ／ＮＡＣＫ送信時点を算出する。ここで、ＨＡＲＱ応答時点算出部３７０は、上記数式１に基づいてＡＣＫ／ＮＡＣＫ送信時点を算出する。そして、ＨＡＲＱスケジューラ３９０は、ＨＡＲＱパケットに対する無線資源を割り当てる。ＨＡＲＱ制御部３５０は、ＡＣＫ／ＮＡＣＫ送信時点情報とＨＡＲＱパケットに対する資源割り当て情報をメッセージ生成器３１６に提供し、メッセージ生成器３１６は、当該ＡＣＫ／ＮＡＣＫ送信時点情報を含むマップメッセージを生成する。ここで、ＡＣＫ／ＮＡＣＫ送信時点情報の形態は、本発明の実施の形態によって変わる。例えば、ＡＣＫ／ＮＡＣＫ送信時点情報の形態は、フレームオフセット又はフレームの絶対的な番号になりうる。このとき、ＨＡＲＱ応答時点算出部３７０のＡＣＫ／ＮＡＣＫ送信時点の算出時に必要な再送信パラメータ値は、複数の中継局から受信されるか、又は予め知られた値でありうる。すなわち、システム内の中継局の再送信パラメータ値がすべて同じである場合、再送信パラメータ値は、予め知られた値であるから、再送信パラメータ値を獲得するための別途の機能は要らない。そして、再送信パラメータ値を中継局から受信する場合、無線受信部３３０は、各中継局の網エントリー手順又は能力交渉手順の遂行時に再送信パラメータ値を受信し、再送信パラメータ値をＨＡＲＱ制御部３５０に伝達する。
【００５１】
本発明の第２の実施の形態による基地局の場合、ＨＡＲＱ制御部３５０は、ＡＣＫ／ＮＡＣＫ送信時点の算出に必要な再送信パラメータ値を各中継局に送信するように無線送信部３１０を制御する。このとき、再送信パラメータ値は、第１の実施の形態と同様に、複数の中継局から受信されるか、又は予め知られた値でありうる。
【００５２】
本発明の第１の実施の形態又は本発明の第２の実施の形態による基地局の場合、メッセージ生成器３１６は、ＡＣＫ／ＮＡＣＫ送信領域割り当て情報を含むアップリンクマップを生成する。ＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域の割り当て情報は、自身の指示による資源を介して送信されるＡＣＫ／ＮＡＣＫが何フレーム前に送信されたパケットに対するＡＣＫ／ＮＡＣＫであるか否かを知らせるフレームオフセット情報を含む。本発明の他の実施の形態では、オフセット情報が使用されず、他の形態のパケット識別情報が使用されることができる。例えば、パケット識別情報は、フレームの絶対的な番号、中継局又は端末のＣＩＤ（Ｃｏｎｎｅｃｔｉｏｎ  ＩＤｅｎｔｉｆｉｅｒ）、ＨＡＲＱパケットのＡＣＩＤ（Ａｒｑ  Ｃｈａｎｎｅｌ  ＩＤｅｎｔｉｆｉｅｒ）又はＳＰＩＤ（Ｓｕｂ  Ｐａｃｋｅｔ  ＩＤｅｎｔｉｆｉｅｒ）などになることができる。
【００５３】
以下に、図３に示す構成を参照して、中継局の動作を説明する。
【００５４】
本発明の第１の実施の形態による中継局の場合、無線受信部３３０は、基地局からＡＣＫ／ＮＡＣＫ送信時点情報を受信して、該受信されたＡＣＫ／ＮＡＣＫ送信時点情報をＨＡＲＱ制御部３５０に提供する。ＡＣＫ／ＮＡＣＫ送信時点情報は、該当パケットの資源割り当て情報を知らせるためのマップメッセージに含まれて受信される。ここで、ＡＣＫ／ＮＡＣＫ送信時点情報の形態は、本発明の実施の形態によって変わる。例えば、ＡＣＫ／ＮＡＣＫ送信時点情報の形態は、フレームオフセット又はフレームの絶対的な番号になることができる。そして、ＨＡＲＱ制御部３５０は、受信されたＡＣＫ／ＮＡＣＫ送信時点情報に応じて、該当パケットに対するＡＣＫ／ＮＡＣＫを送信するように無線送信部３１０を制御する。第１の実施の形態による場合、中継局は、ＡＣＫ／ＮＡＣＫ送信時点を算出しないので、ＨＡＲＱ応答時点算出部３７０は、中継局に含まれない。追加的に、中継局が自身の再送信パラメータ値を送信する必要がある場合、無線送信部３１０は、網エントリー手順又は能力交渉手順を行う際、基地局に再送信パラメータ値を送信する。
【００５５】
本発明の第２の実施の形態による中継局の場合、無線受信部３３０は、基地局から他の中継局の再送信パラメータ値を受信し、該受信された再送信パラメータ値をＨＡＲＱ制御部３５０に提供する。そして、ＨＡＲＱ応答時点算出部３７０は、ＨＡＲＱ制御部３５０から提供される他の中継局の再送信パラメータ値を利用して、中継局自身のＡＣＫ／ＮＡＣＫ送信時点を算出する。ここで、ＨＡＲＱ応答時点算出部３７０は、上記数式１に基づいてＡＣＫ／ＮＡＣＫ送信時点を算出する。これにより、ＨＡＲＱ制御部３５０は、ＡＣＫ／ＮＡＣＫ送信時点によって該当パケットに対するＡＣＫ／ＮＡＣＫを送信するように、無線送信部３１０を制御する。
【００５６】
本発明の第１の実施の形態又は本発明の第２の実施の形態による中継局の場合、無線受信部３３０は、ＡＣＫ／ＮＡＣＫ送信領域割り当て情報を受信する。ＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域割り当て情報は、自身により指示される資源を介して送信されるＡＣＫ／ＮＡＣＫが何フレーム前のパケットに対するＡＣＫ／ＮＡＣＫであるか否かを知らせるフレームオフセット情報を含む。本発明の他の実施の形態では、オフセット情報が使用されず、他の形態のパケット識別情報が使用されることができる。例えば、パケット識別情報は、フレームの絶対的な番号、中継局又は端末のＣＩＤ、ＨＡＲＱパケットのＡＣＩＤ又はＳＰＩＤなどになることができる。この場合、制御部３５０は、ＡＣＫ／ＮＡＣＫ送信領域割り当て情報に応じて対応するパケットに対するＡＣＫ／ＮＡＣＫを送信するように、無線送信部３１０を制御する。
【００５７】
図４は、本発明の第１の実施の形態による多重ホップ中継方式の無線通信システムにおける基地局の動作手順を示している。
【００５８】
図４に示すように、基地局は、ステップ４０１にて中継局から再送信パラメータ値を収集する必要がある否かを判断する。すなわち、基地局は、システム内の中継局の再送信パラメータ値がすべて同じであるか否かを確認する。ここで、再送信パラメータ値は、中継局のアップリンクデータ処理遅延時間、中継局のダウンリンクデータ処理遅延時間、中継局のＡＣＫ／ＮＡＣＫ送信遅延時間、基地局のＡＣＫ／ＮＡＣＫ送信遅延時間、端末のＡＣＫ／ＮＡＣＫ送信遅延時間を含む意味である。再送信パラメータ値の収集が必要でない場合には、基地局は、ステップ４０５に進む。
【００５９】
再送信パラメータ値の収集が必要である場合、すなわち、システム内の中継局の再送信パラメータ値がすべて同一ではない場合には、基地局は、ステップ４０３に進んで中継局の各々の再送信パラメータ値を収集する。ここで、基地局は、中継局の網エントリー手順又は能力交渉手順を介して、中継局の再送信パラメータ値を収集する。
【００６０】
以後、基地局は、ステップ４０５に進んで中継局のＡＣＫ／ＮＡＣＫ送信時点を計算する。例えば、基地局は、上記数式１に基づいてダウンリンクパケットに対するＡＣＫ／ＮＡＣＫ送信時点を計算する。
【００６１】
基地局は、ステップ４０７で中継局にＨＡＲＱスケジューリング情報及びパケットを送信する。ここで、ＨＡＲＱスケジューリング情報は、ＨＡＲＱダウンリンクマップの形態で送信され、ＡＣＫ／ＮＡＣＫ送信時点を知らせるためのフレームオフセット情報を含む。フレームオフセット情報は、中継局がＨＡＲＱダウンリンク／アップリンクマップ又はパケットを受信した後、何フレーム以後のＡＣＫ／ＮＡＣＫを送信するかを表す情報である。本発明の他の実施の形態では、オフセット情報が使用されず、フレームの絶対的な番号がＡＣＫ／ＮＡＣＫ送信時点を知らせるために使用されることができる。
【００６２】
基地局は、ステップ４０９で中継局にＡＣＫ／ＮＡＣＫ送信領域割り当て情報を送信する。このＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域割り当て情報は、自身により指示される資源を介して送信されるＡＣＫ／ＮＡＣＫが何フレーム前のパケットに対するＡＣＫ／ＮＡＣＫであるか否かを知らせるフレームオフセット情報を含む。本発明の他の実施の形態では、オフセット情報が使用されず、フレームの絶対的な番号、中継局又は端末のＣＩＤ、ＨＡＲＱパケットのＡＣＩＤ又はＳＰＩＤなどが使用されることができる。
【００６３】
基地局は、ステップ４１１で自身のスケジューリングにより割り当てられたＡＣＫ／ＮＡＣＫ送信領域を介して、中継局からＡＣＫ／ＮＡＣＫを受信する。
【００６４】
図４において、ＨＡＲＱスケジューリング情報は、ＡＣＫ／ＮＡＣＫ送信時点情報を含み、同時に、ＡＣＫ／ＮＡＣＫ送信領域割り当て情報は、対応するパケットの情報を含む。しかしながら、本発明の他の実施の形態では、ＨＡＲＱスケジューリング情報がＡＣＫ／ＮＡＣＫ送信時点情報を含まないか、又はＡＣＫ／ＮＡＣＫ送信領域割り当て情報が対応するパケットの情報を含まないときもある。
【００６５】
図５は、本発明の第１の実施の形態による多重ホップ中継方式の無線通信システムにおける中継局の動作手順を示している。
【００６６】
中継局は、ステップ５０１にて基地局に再送信パラメータ値を送信する必要があるか否かを判断する。すなわち、中継局は、システム内の中継局の再送信パラメータ値がすべて同じであるか否かを確認する。ここで、再送信パラメータ値は、中継局のアップリンクデータ処理遅延時間、中継局のダウンリンクデータ処理遅延時間、中継局のＡＣＫ／ＮＡＣＫ送信遅延時間、端末のＡＣＫ／ＮＡＣＫ送信遅延時間、及び基地局のＡＣＫ／ＮＡＣＫ送信遅延時間を含む。再送信パラメータ値の送信が必要でない場合には、中継局は、ステップ５０５に進む。
【００６７】
再送信パラメータ値の送信が必要である場合、すなわち、システム内の中継局の再送信パラメータ値が同一でない場合には、中継局は、ステップ５０３に進んで基地局に再送信パラメータ値を送信する。ここで、中継局は、網エントリー手順又は能力交渉手順を通じて自身の再送信パラメータ値を送信する。このとき、送信される再送信パラメータ値は、当該中継局自身のアップリンクデータ処理遅延時間、ダウンリンクデータ処理遅延時間、及びＡＣＫ／ＮＡＣＫ送信遅延時間である。
【００６８】
以後、中継局は、ステップ５０５で基地局からＨＡＲＱスケジューリング情報及びパケットを受信する。ここで、ＨＡＲＱスケジューリング情報は、ＨＡＲＱダウンリンク／アップリンクマップの形態で送信され、ＡＣＫ／ＮＡＣＫ送信時点を知らせるためのフレームオフセット情報を含む。フレームオフセット情報は、中継局がＨＡＲＱダウンリンク／アップリンクマップ又はパケットを受信した後、何フレーム以後のＡＣＫ／ＮＡＣＫを送信するかを表す情報である。本発明の他の実施の形態では、オフセット情報が使用されず、フレームの絶対的な番号がＡＣＫ／ＮＡＣＫ送信時点を知らせるために使用されることができる。そして、図５には図示していないが、中継局は、パケットに対するエラー有無を判断する。
【００６９】
中継局は、ステップ５０７で基地局からＡＣＫ／ＮＡＣＫ送信領域割り当て情報を受信する。ＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域割り当て情報は、自身により指示される資源を介して送信されるＡＣＫ／ＮＡＣＫが何フレーム前のパケットに対するＡＣＫ／ＮＡＣＫであるか否かを知らせるフレームオフセット情報を含む。本発明の他の実施の形態では、オフセット情報が使用されず、フレームの絶対的な番号、中継局又は端末のＣＩＤ、ＨＡＲＱパケットのＡＣＩＤ又はＳＰＩＤなどが使用されることができる。
【００７０】
中継局は、ステップ５０９で、ステップ５０７にて受信された情報に応じてＡＣＫ／ＮＡＣＫ送信領域を介してＡＣＫ／ＮＡＣＫを送信する。
【００７１】
図５において、ＨＡＲＱスケジューリング情報は、ＡＣＫ／ＮＡＣＫ送信時点情報を含み、同時に、ＡＣＫ／ＮＡＣＫ送信領域割り当て情報は、対応するパケットの情報を含む。しかしながら、本発明の他の実施の形態では、ＨＡＲＱスケジューリング情報がＡＣＫ／ＮＡＣＫ送信時点情報を含まないか、又はＡＣＫ／ＮＡＣＫ送信領域割り当て情報が対応するパケットの情報を含まないときもある。
【００７２】
図６は、本発明の第２の実施の形態による多重ホップ中継方式の無線通信システムにおける基地局の動作手順を示している。
【００７３】
基地局は、ステップ６０１にて中継局から再送信パラメータ値を収集する必要があるか否かを確認する。すなわち、基地局は、システム内の中継局の再送信パラメータ値がすべて同じであるか否かを確認する。ここで、再送信パラメータ値は、中継局のアップリンクデータ処理遅延時間、中継局のダウンリンクデータ処理遅延時間、中継局のＡＣＫ／ＮＡＣＫ送信遅延時間、基地局のＡＣＫ／ＮＡＣＫ送信遅延時間、及び端末のＡＣＫ／ＮＡＣＫ送信遅延時間を含む意味である。再送信パラメータ値の収集が必要でない場合には、基地局は、ステップ６０５に進む。
【００７４】
再送信パラメータ値の収集が必要である場合、すなわち、システム内の中継局の再送信パラメータ値がすべて同一ではない場合には、基地局は、ステップ６０３に進んで中継局の各々の再送信パラメータ値を収集する。ここで、基地局は、中継局の網エントリー手順又は能力交渉手順を介して、中継局の再送信パラメータ値を収集する。
【００７５】
基地局は、ステップ６０５で、ステップ６０３にて収集した中継局のそれぞれの再送信パラメータ値を各中継局に送信する。
【００７６】
基地局は、ステップ６０７で、中継局にＨＡＲＱスケジューリング情報及びパケットを送信する。ここで、ＨＡＲＱスケジューリング情報は、ＨＡＲＱダウンリンクマップの形態で送信される。
【００７７】
基地局は、ステップ６０９で中継局にＡＣＫ／ＮＡＣＫ送信領域割り当て情報を送信する。ＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域割り当て情報は、自身により指示される資源を介して送信されるＡＣＫ／ＮＡＣＫが何フレーム前のパケットに対するＡＣＫ／ＮＡＣＫであるかを知らせるフレームオフセット情報を含む。本発明の他の実施の形態では、オフセット情報が使用されず、フレームの絶対的な番号、中継局又は端末のＣＩＤ、ＨＡＲＱパケットのＡＣＩＤ又はＳＰＩＤなどが使用されることができる。
【００７８】
基地局は、ステップ６１１で自身のスケジューリングにより割り当てられたＡＣＫ／ＮＡＣＫ送信領域を介して、中継局からＡＣＫ／ＮＡＣＫを受信する。
【００７９】
図６において、ＡＣＫ／ＮＡＣＫ送信領域割り当て情報は、対応するパケットの情報を含む。しかしながら、本発明の他の実施の形態では、ＡＣＫ／ＮＡＣＫ送信領域割り当て情報は、対応するパケットの情報を含まないときもある。
【００８０】
図７は、本発明の第２の実施の形態による多重ホップ中継方式の無線通信システムにおける中継局の動作手順を示している。
【００８１】
図７に示すように、中継局は、ステップ７０１にて基地局から再送信パラメータ値を受信する。ここで、再送信パラメータ値は、中継局のアップリンクデータ処理遅延時間、中継局のダウンリンクデータ処理遅延時間、中継局のＡＣＫ／ＮＡＣＫ送信遅延時間、基地局のＡＣＫ／ＮＡＣＫ送信遅延時間、及び端末のＡＣＫ／ＮＡＣＫ送信遅延時間を含む意味である。
【００８２】
中継局は、ステップ７０３で基地局からＨＡＲＱスケジューリング情報及びパケットを受信する。ここで、ＨＡＲＱスケジューリング情報は、ＨＡＲＱダウンリンクマップの形態で受信される。そして、図７には図示していないが、中継局は、パケットに対するエラー有無を判断する。
【００８３】
中継局は、ステップ７０５で自身のＡＣＫ／ＮＡＣＫ送信時点を計算する。例えば、中継局は、上記数式１に基づいて、ダウンリンクパケットに対するＡＣＫ／ＮＡＣＫ送信時点を計算する。
【００８４】
中継局は、ステップ７０７で基地局からＡＣＫ／ＮＡＣＫ送信領域割り当て情報を受信する。ＡＣＫ／ＮＡＣＫ送信領域割り当て情報は、アップリンクマップに含まれ、中継局のＡＣＫ／ＮＡＣＫ送信のための資源領域を指示する。ＡＣＫ／ＮＡＣＫ送信領域割り当て情報は、「ＡＣＫＣＨ＿Ｒｅｇｉｏｎ＿Ａｌｌｏｃａｔｉｏｎ＿ＩＥ」という名称のＩＥとして構成されることができる。ここで、本発明によって、ＡＣＫ／ＮＡＣＫ送信領域割り当て情報は、自身により指示される資源を介して送信されるＡＣＫ／ＮＡＣＫが何フレーム前のパケットに対するＡＣＫ／ＮＡＣＫであるか否かを知らせるフレームオフセット情報を含む。本発明の他の実施の形態では、オフセット情報が使用されず、他の形態のパケット識別情報が使用されることができる。例えば、パケット識別情報としては、フレームの絶対的な番号、中継局又は端末のＣＩＤ、ＨＡＲＱパケットのＡＣＩＤ又はＳＰＩＤなどが使用されることができる。
【００８５】
中継局は、ステップ７０９で、ステップ７０５にて計算されたＡＣＫ／ＮＡＣＫ送信時点情報に応じて、該当パケットに対するＡＣＫ／ＮＡＣＫを送信する。他の実施の形態では、中継局がＡＣＫ／ＮＡＣＫ送信時点を計算せず、或いはＡＣＫ／ＮＡＣＫ送信領域割り当て情報は、対応するパケットの情報を含まない。
【００８６】
図７を参照して説明した実施の形態において、中継局は、ＡＣＫ／ＮＡＣＫ送信時点を計算し、また、ＡＣＫ／ＮＡＣＫ送信領域割り当て情報は、対応するパケットの情報を含む。しかしながら、本発明の他の実施の形態では、中継局がＡＣＫ／ＮＡＣＫ送信時点を計算しないか、又はＡＣＫ／ＮＡＣＫ送信領域割り当て情報が対応するパケットの情報を含まないときもある。
【００８７】
上述したように、多重ホップ中継（ｍｕｌｔｉ−ｈｏｐ  ｒｅｌａｙ）方式の無線通信システムにおいて、中継局、基地局、端末の処理遅延時間を利用して、中継局のＡＣＫ（ＡＣＫｎｏｗｌｅｄｇｅ）／ＮＡＣＫ（Ｎｏｎ−ＡＣＫｎｏｗｌｅｄｇｅ）送信時点を算出することによって、多重ホップ中継方式の無線通信システムにＡＲＱ（Ａｕｔｏｍａｔｉｃ  Ｒｅｔｒａｎｓｍｉｓｓｉｏｎ  ｒｅＱｕｅｓｔ）技法を適用することができる。
【００８８】
以上、本発明の詳細な説明では具体的な実施の形態について示し説明したが、添付された請求項及びそれらの均等物で規定されるような本発明の精神と範囲から逸脱することなく形式や細部における多様な変形が可能であることは、当業者に理解されるであろう。  
【図１】
2010538570.tif 000007
【図２】
2010538570.tif 000008
【図３】
2010538570.tif 000009
【図４】
2010538570.tif 000010
【図５】
2010538570.tif 000011
【図６】
2010538570.tif 000012
【図７】
2010538570.tif 000013
【国際調査報告】
2010538570.tif 000014
2010538570.tif 000015